(57)【特許請求の範囲】
【請求項１】
下面側に開口した吸込み口と、この吸込み口の周囲に略対称に設けられた吹出し口と、送風ファンと、この送風ファンの遠心方向周囲に配置される熱交換器と、前記熱交換器の周囲に配置される側壁部と、この側壁部と当接して前記送風ファン上面側を覆う上面部と、前記側壁部と当接し、前記熱交換器下方を覆うように構成された底面部とを具備した天井カセツト形空気調和機において、前記側壁部は前記吹出し口が互いに隣接する位置に角部を有し、前記熱交換器は前記角部に対向する部位にコーナー部を少なくとも一ヵ所有し、前記角部と前記吹出し口との間を仕切る仕切り部と、この仕切り部に連続して前記コーナー部からの送風を前記吹出し口側に導く送風路を形成する第２仕切り部を有したことを特徴とした天井カセツト形空気調和機。
【請求項２】
仕切り部は緩衝材を介して熱交換器に接するように構成したことを特徴とする請求項１に記載の天井カセツト形空気調和機。
【発明の詳細な説明】
【技術分野】
【０００１】
本発明は天井面に埋め込んで据え付ける天井カセツト形空気調和機に関するものであり、より詳しくはその室内ユニットの送風回路の構造に関するものである。
【背景技術】
【０００２】
従来の天井カセツト形空気調和機の構造について説明する（特許文献１など）。
【０００３】
図４に示すように、下面側に開口した吸込み口１と、この吸込み口の周囲に略対称に設けられた吹出し口２と、送風ファン３と、この送風ファンの遠心方向周囲に配置される熱
交換器４と、前記熱交換器の周囲に配置される側壁部５と、この側壁部と当接して前記送風ファン上面側を覆う上面部６と、前記側壁部と当接し、前記熱交換器下方を覆うように構成された底面部７とから構成されている。
【特許文献１】特開平１０−１９３７０号公報
【発明の開示】
【発明が解決しようとする課題】
【０００４】
しかしながら、上述のように従来の構成では、吹出し風路各コーナー部から吹出した風は四方向に設けられた開口部目掛け吹き込むことにより通風抵抗が増大し、風量性能の低下や騒音の増大を起こす可能性があるという課題を有している。
【０００５】
本発明は上記従来の課題を解決するものであり、吹出し風路各コーナー部からの吹き込み流による騒音の増加を防止し、風量性能のを改善した天井カセツト形空気調和機を提供することを目的とする。
【課題を解決するための手段】
【０００６】
前記従来の課題を解決するために、本発明の天井カセツト形空気調和機は、側壁部に近接して送風方向に立ち上がる仕切り部と、仕切り部に連続して送風路を形成する第２仕切り部を有したものである。
【０００７】
これによって、各コーナー部から吹出した風は、仕切り部により開口部目掛け吹き込むことなく又、送風路により各コーナー部の吹出し流を吹出し口へ抵抗とならずに吹出すため、吹き込み流による騒音の増加を防止し、風量性能は低下しない。
【発明の効果】
【０００８】
本発明の天井カセツト形空気調和機は、吹出し風路各コーナー部からの吹き込み流による騒音の増加を防止し、風量性能が低下させないことができる。
【発明を実施するための最良の形態】
【０００９】
第１の実施例は、下面側に開口した吸込み口と、この吸込み口の周囲に略対称に設けられた吹出し口と、送風ファンと、この送風ファンの遠心方向周囲に配置される熱交換器と、前記熱交換器の周囲に配置される側壁部と、この側壁部と当接して前記送風ファン上面側を覆う上面部と、前記側壁部と当接し、前記熱交換器下方を覆うように構成された底面部とを具備した天井カセツト形空気調和機において、前記熱交換器は前記角部に対向する部位にコーナー部を少なくとも一ヵ所有し、前記角部と吹出し口との間を仕切る仕切り部と、この仕切り部に連続してコーナー部からの送風を前記吹出し口側に導く送風路を形成する第２仕切り部を有することにより、各コーナー部から吹出した風は、仕切り部により開口部目掛け吹き込むことなく又、送風路により各コーナー部の吹出し流を吹出し口へ抵抗とならずに吹出すため、吹き込み流による騒音の増加を防止し、風量性能は低下しない効果を得る。
【００１０】
第２の実施例は、仕切り部は緩衝材を介して熱交換器に接するように構成したことにより、前記仕切り部を損傷することなく熱交換器を組み立てられ、各コーナー部から吹出した風は、仕切り部により開口部目掛け吹き込むことなく又、送風路により各コーナー部の吹出し流を吹出し口へ抵抗とならずに吹出すため、吹き込み流による騒音の増加を防止し、風量性能は低下しない効果を得る。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における天井カセツト形空気調和機の分解図を示すものである。
【００１３】
図１において、下面側に開口した吸込み口１と、この吸込み口１の周囲に略対称に設けられた吹出し口２と、送風ファン３と、この送風ファン３の遠心方向周囲に配置される熱交換器４と、前記熱交換器４の周囲に配置される側壁部５と、この側壁部５と当接して前記送風ファン３上面側を覆う上面部６と、前記側壁部５と当接し、前記熱交換器４の下方を覆うように構成された底面部７とを構成している。側壁部５は吹出し口２が互いに隣接する位置を角部５ａとしている。
【００１４】
図２は、本発明の第１の実施の形態における天井カセツト形空気調和機の部分断面図を示すものである。図３は、同じく天井カセツト形空気調和機の要部斜視図で、側壁部５と底面部７は一体に形成されており、仕切り部８と第２仕切り部８ａとはこの一体に形成された側壁部５と底面部７に一体に構成している。
【００１５】
図２において、前記熱交換器４は前記吹出し口２が互いに隣接する角部５ａに対向する部位にコーナー部４ａを少なくとも一ヵ所有し、前記角部５ａと前記吹出し口２との間を仕切る仕切り部８と、この仕切り部８に連続して形成された第２仕切り部８ａとにより、前記コーナー部４ａからの送風を前記吹出し口２側に導く送風路９を構成している。
【００１６】
以上のように構成された天井カセツト形空気調和機について、以下その動作、作用を説明する。
【００１７】
まず、各コーナー部４ａから吹出した風は、仕切り部８により開口部目掛け吹き込むことなく又、送風路９により各コーナー部４ａの吹出し流を吹出し口２へ回り込むようにして抵抗とならずに吹出すため（図３参照）、吹き込み流による騒音の増加を防止し、風量性能は低下しない。
【００１８】
以上のように、本実施の形態においては前記熱交換器４は前記吹出し口２の隣接する角部５ａに対向する部位にコーナー部４ａを少なくとも一ヵ所有し、前記角部５ａと前記吹出し口２との間を仕切る仕切り部８と、この仕切り部８に連続して形成された第２仕切り部８ａとにより、前記コーナー部４ａからの送風を前記吹出し口２側に導く送風路９とを構成することにより、各コーナー部４ａから吹出した風は、仕切り部８により開口部目掛け吹き込むことなく又、送風路９により各コーナー部４ａの吹出し流を吹出し口２へ抵抗とならずに吹出すため、吹き込み流による騒音の増加を防止し、風量性能は低下しない。
【００１９】
（実施の形態２）
図２において、仕切り部８は緩衝材２０を介して熱交換器４に接するように構成している。
【００２０】
以上のように構成された天井カセツト形空気調和機について、以下その動作、作用を説明する。
【００２１】
まず、緩衝材２０の緩衝により仕切り部８を損傷することなく熱交換器４を組み立てられ、各コーナー部４ａから吹出した風は、仕切り部８により開口部目掛け吹き込むことなく又、送風路９により各コーナー部４ａの吹出し流を吹出し口２へ抵抗とならずに吹出すため、吹き込み流による騒音の増加を防止し、風量性能は低下しない。
【００２２】
以上のように仕切り部８は緩衝材２０を介して熱交換器４に接するように構成すること
により仕切り部８を損傷することなく熱交換器４を組み立てられ、各コーナー部４ａから吹出した風は、仕切り部８により開口部目掛け吹き込むことなく又、送風路９により各コーナー部４ａの吹出し流を吹出し口２へ抵抗とならずに吹出すため、吹き込み流による騒音の増加を防止し、風量性能は低下しない。
【産業上の利用可能性】
【００２３】
以上のように、本発明にかかる天井カセツト形空気調和機は、各コーナー部の吹出し流を吹出し口へ抵抗とならずに吹出すため、吹き込み流による騒音の増加を防止し、風量性能は低下しないことが可能となるので、住宅および設備などの空調に用いる空気調和機の室内ユニット等の用途にも適用できる。
【図面の簡単な説明】
【００２４】
【図１】本発明の実施の形態１における天井カセツト形空気調和機の分解図
【図２】本発明の実施の形態１における天井カセツト形空気調和機の部分断面図
【図３】本発明の実施の形態１における天井カセツト形空気調和機の要部斜視図
【図４】従来の天井カセツト形空気調和機の分解図
【符号の説明】
【００２５】
１    吸込み口
２    吹出し口
３    送風ファン
４    熱交換器
４ａ  コーナー部
５    側壁部
５ａ  角部
６    上面部
７    底面部
８    仕切り部
８ａ  第２仕切り部
９    送風路
２０  緩衝材
【図１】
0004013865.tif 000002
【図２】
0004013865.tif 000003
【図３】
0004013865.tif 000004
【図４】
0004013865.tif 000005